(57)【要約】本発明は、ユーザが無線インターネットサービスを利用する際、ユーザが要請したウェブページを提供する画面フレームとは別の画面フレームを介してユーザに広告を提供できるようにする広告提供システム及び広告提供方法に関する。本発明は、ユーザが要請したウェブページを提供する画面フレームとは別の画面フレームを介してユーザに広告を提供することができるため、移動通信社の立場では広告にて新たな収益創出を期待することができ、且つ広告を視聴した端末機ユーザには広告視聴に対する補償を提供することができるようになる。
2016511458.tif 000002
【特許請求の範囲】
【請求項１】
無線インターネットサービスの提供を受けるためにＴＣＰ（Ｔｒａｎｓｍｉｓｓｉｏｎ  ｃｏｎｔｒｏｌ  Ｐｒｏｔｏｃｏｌ）セッションが連結されているＷｅｂサーバへＨＴＴＰ（ＨｙｐｅｒＴｅｘｔ  Ｔｒａｎｓｆｅｒ  Ｐｒｏｔｏｃｏｌ）要請メッセージを伝送する端末機；
前記端末機が前記Ｗｅｂサーバへ伝送した前記ＨＴＴＰ要請メッセージをミラーリングするミラーリングサーバ；及び
前記ミラーリングサーバからＨＴＴＰ要請メッセージを受信すると、前記端末機へ前記ＨＴＴＰ要請メッセージに対する応答として広告ページを提供する広告ページＵＲＬ（Ｕｎｉｆｏｒｍ  Ｒｅｓｏｕｒｃｅ  Ｌｏｃａｔｏｒ）と前記端末機が本来接続しようとしていたウェブページＵＲＬとを含むＨＴＴＰ応答メッセージを伝送する広告サーバを含み、
前記端末機は、前記広告サーバから受信したＨＴＴＰ応答メッセージに含まれている広告ページＵＲＬとウェブページＵＲＬとに基づいて前記広告サーバとＷｅｂサーバにそれぞれ接続して広告とウェブページをダウンロードし、これらを互いに別の画面フレームを介して同時に表示する、広告提供システム。
【請求項２】
前記広告サーバは、
前記端末機へ前記ＨＴＴＰ応答メッセージを伝送すると共に、前記Ｗｅｂサーバへリセット（ＲＳＴ）プラグがセットされたＴＣＰメッセージを伝送する、請求項１に記載の広告提供システム。
【請求項３】
前記広告サーバから前記端末機へ伝送するＨＴＴＰ応答メッセージは、終了（ＦＩＮ）プラグを含んでなる、請求項１または２に記載の広告提供システム。
【請求項４】
前記ミラーリングサーバは、無線インターネットサービスの提供を受けるためにパケットゲートウェイへインターネット接続を要請する前記端末機を認証するために前記パケットゲートウェイと認証・課金サーバ間でやり取りする認証メッセージをミラーリングし、これを前記広告サーバへ転送し、
前記広告サーバは、前記ミラーリングサーバから受信した認証メッセージを分析してユーザ識別情報を抽出し、抽出されたユーザ識別情報を用いてユーザの広告サービス加入の有無を判断する、請求項１に記載の広告提供システム。
【請求項５】
前記ミラーリングサーバは、
前記端末機が前記Ｗｅｂサーバへ伝送したＨＴＴＰ要請メッセージをミラーリングするミラーリング部；及び
前記ミラーリングされたＨＴＴＰ要請メッセージを前記広告サーバへ転送するメッセージ転送部を含んでなる、請求項１に記載の広告提供システム。
【請求項６】
ユーザからの入力を受け付ける入力インターフェース部；及び
前記入力インターフェース部を介して入力されたユーザの要請に従ってウェブブラウザーを駆動させてＷｅｂサーバとのＴＣＰセッションの連結を行い、ＴＣＰセッションが連結された前記ＷｅｂサーバへＨＴＴＰ要請メッセージを伝送した後、それに対する応答として受信したＨＴＴＰ応答メッセージに含まれている広告ページＵＲＬとウェブページＵＲＬとに基づいて広告サーバとＷｅｂサーバにそれぞれ接続して広告ページとウェブページをダウンロードし、これらを互いに別の画面フレームを介して同時に表示するウェブブラウザー駆動部を含んでなる、端末機。
【請求項７】
ミラーリングサーバでミラーリングされたメッセージを受信するメッセージ受信部；
前記メッセージ受信部を介して受信したＨＴＴＰ要請メッセージから端末機が接続を要請したウェブページＵＲＬを抽出するウェブページ情報抽出部；
前記メッセージ受信部を介して受信したＨＴＴＰ要請メッセージに対する応答として広告ページを提供する広告ページＵＲＬと前記端末機が本来接続しようとしていた前記ウェブページＵＲＬとを含むＨＴＴＰ応答メッセージを前記端末機へ転送するＨＴＴＰ応答メッセージ転送部；及び
前記端末機から前記広告ページを要請するＨＴＴＰ要請メッセージを受信すると、それに対する応答として前記端末機へ広告ページを伝送する広告提供部を含んでなる、広告サーバ。
【請求項８】
前記メッセージ受信部を介して受信したＨＴＴＰ要請メッセージのソースＩＰ情報が広告サービス加入者の端末ＩＰと合致し、且つウェブページを要請したエージェントがウェブブラウザーであるか否かを確認することで広告サービスの提供の可否を判断する広告サービス提供可否判断部をさらに含んでなる、請求項７に記載の広告サーバ。
【請求項９】
前記メッセージ受信部を介して受信した認証メッセージを分析してユーザ識別情報を抽出するユーザ識別情報抽出部；及び
前記ユーザ識別情報を用いて前記端末機のユーザが広告サービスに加入しているか否かを確認する広告サービス加入者確認部をさらに含んでなる、請求項７に記載の広告サーバ。
【請求項１０】
前記端末機へ伝送するＨＴＴＰ応答メッセージに終了（ＦＩＮ）プラグを含め、
前記Ｗｅｂサーバへリセット（ＲＳＴ）プラグがセットされたＴＣＰメッセージを転送して前記端末機とＷｅｂサーバ間で連結されているＴＣＰセッションを解除させるセッション解除部をさらに含んでなる、請求項７に記載の広告サーバ。
【請求項１１】
前記端末機へ伝送する前記ＨＴＴＰ応答メッセージのソースＩＰは前記ＷｅｂサーバのＩＰに設定されると共に、宛先ＩＰは前記端末機のＩＰに設定され、
前記Ｗｅｂサーバへ伝送する前記ＴＣＰメッセージのソースＩＰは前記端末機のＩＰに設定されると共に、宛先ＩＰは前記ＷｅｂサーバのＩＰに設定されることを特徴とする、請求項１０に記載の広告サーバ。
【請求項１２】
前記広告ページを受信した端末機に対する補償情報を課金精算サーバへ伝送する補償情報伝送部をさらに含んでなる、請求項７に記載の広告サーバ。
【請求項１３】
無線インターネットサービスの利用が許容された端末機がウェブページを要請するためにＷｅｂサーバへ伝送するＨＴＴＰ要請メッセージをミラーリングサーバでミラーリングして広告サーバへ伝送する過程；
前記広告サーバから前記ＨＴＴＰ要請メッセージに対する応答として広告ページを提供する広告ページＵＲＬと前記端末機が本来接続しようとしていたウェブページＵＲＬとを含むＨＴＴＰ応答メッセージを前記端末機へ伝送するＨＴＴＰ応答メッセージ伝送過程；
前記端末機から前記ＨＴＴＰ応答メッセージに基づいて前記広告サーバへ前記広告ページを要請するＨＴＴＰ要請メッセージを伝送すると共に、前記Ｗｅｂサーバへウェブページを要請するＨＴＴＰ要請メッセージを伝送する過程；
前記広告サーバから前記端末機へ広告ページを伝送し、前記Ｗｅｂサーバから前記端末機へウェブページを伝送する過程；及び
前記端末機で前記広告サーバから伝送された広告とウェブページを互いに別の画面フレームを介して同時に表示する過程、を含んでなる、広告提供方法。
【請求項１４】
前記ＨＴＴＰ応答メッセージ伝送過程は、
前記広告サーバで前記ＨＴＴＰ要請メッセージから前記端末機が接続しようとしていたウェブページのアドレスを抽出する過程；
前記Ｗｅｂサーバへリセット（ＲＳＴ）プラグがセットされたＴＣＰメッセージを伝送する過程；
前記ＨＴＴＰ応答メッセージのヘッダーに終了（ＦＩＮ）プラグをセットする過程；
前記ＨＴＴＰ応答メッセージに広告ページを提供する広告ページＵＲＬと前記端末機が本来接続しようとしていたウェブページＵＲＬとを含める過程；及び
前記ＨＴＴＰ応答メッセージを前記端末機へ伝送する過程、を含んでなる、請求項１３に記載の広告提供方法。
【請求項１５】
前記ＨＴＴＰ応答メッセージのソースＩＰを前記ＷｅｂサーバのＩＰに設定すると共に、宛先ＩＰを前記端末機のＩＰに設定する過程；及び
前記ＴＣＰメッセージのソースＩＰを前記端末機のＩＰに設定すると共に、宛先ＩＰを前記ＷｅｂサーバのＩＰに設定する過程をさらに含んでなる、請求項１４に記載の広告提供サーバ 。
【請求項１６】
前記ＨＴＴＰ要請メッセージのソースＩＰ情報が広告サービス加入者の端末ＩＰと合致し、且つウェブページを要請したエージェントがウェブブラウザーであるか否かを確認する過程をさらに含んでなる、請求項１４に記載の広告提供方法。
【請求項１７】
無線インターネットサービスの提供を受けるためにパケットゲートウェイへインターネット接続を要請する端末機を認証するために前記パケットゲートウェイと認証・課金サーバの間でやり取りする認証メッセージを前記ミラーリングサーバでミラーリングして前記広告サーバへ伝送する過程；
前記広告サーバで前記ミラーリングされた認証メッセージを分析してユーザ識別情報を抽出する過程；及び
前記ユーザ識別情報を用いて前記広告サーバで前記端末機のユーザが広告サービスに加入されているか否かを確認する過程をさらに含む、請求項１３に記載の広告提供方法。
【請求項１８】
前記広告サーバが前記端末機へ広告ページを伝送した後、前記端末機に対する補償情報を課金精算サーバへ伝送する過程をさらに含む、請求項１３に記載の広告提供方法。
【発明の詳細な説明】
【技術分野】
【０００１】
本発明は、広告提供システム及び広告提供方法に係り、特にユーザが無線インターネットサービスを利用する際、ユーザが要請したウェブページを提供する画面フレームとは別の画面フレームを介してユーザに広告を提供できるようにする広告提供システム及び広告提供方法に関する。
【背景技術】
【０００２】
通信技術の発達に伴い、スマートフォンやタブレットＰＣなどの普及が進むなか、スマートフォンやタブレットＰＣなどのユーザが急増しており、且つ、このようなスマートフォンやタブレットＰＣなどを利用した無線インターネット広告も増えつつある。
従来、スマートフォンやタブレットＰＣなどを利用した無線インターネット広告は、無線ウェブを利用する無線ウェブ広告と、無線アプリケーション（アプリ）を利用する無線アプリ広告などとに分けられ、無線ウェブ広告はさらに、キーワードによる検索広告と、インターネットブラウザーに広告コンテンツ（広告内容を含んでいるイメージ、動画など）を含んでいるバナー（Ｂａｎｎｅｒ）を出力させるバナー広告などとに分けられる。
しかし、このような検索広告やバナー広告などによる広告収益は、ポータルサイト運営会社のようなウェブサイト運営者がその大半を持っていくようになっていた。
このため、移動通信社でも端末機のユーザに広告を提供し、それによる広告収益を創出できる方法などが必要とされるに至った。
【先行技術文献】
【特許文献】
【０００３】
【特許文献１】韓国公開特許公報第２００８-２３９０号
【発明の概要】
【発明が解決しようとする課題】
【０００４】
本発明は、前記した問題点を解決するためになされたものであって、ユーザが無線インターネットサービスを利用する際、ユーザが要請したウェブページを提供する画面フレームとは別の画面フレームを介して移動通信社がユーザに広告を提供できるようにする広告提供システム及び広告提供方法を提供することをその目的とする。
【課題を解決するための手段】
【０００５】
前記目的を達成するための本発明の一実施例に係る広告提供システムは、無線インターネットサービスの提供を受けるためにＴＣＰ（Ｔｒａｎｓｍｉｓｓｉｏｎ  ｃｏｎｔｒｏｌ  Ｐｒｏｔｏｃｏｌ）セッションが連結されているＷｅｂサーバへＨＴＴＰ（ＨｙｐｅｒＴｅｘｔ  Ｔｒａｎｓｆｅｒ  Ｐｒｏｔｏｃｏｌ）要請メッセージを伝送する端末機；前記端末機が前記Ｗｅｂサーバへ伝送した前記ＨＴＴＰ要請メッセージをミラーリングするミラーリングサーバ；及び前記ミラーリングサーバからＨＴＴＰ要請メッセージを受信すると、前記端末機へ前記ＨＴＴＰ要請メッセージに対する応答として広告ページを提供する広告ページＵＲＬ（Ｕｎｉｆｏｒｍ  Ｒｅｓｏｕｒｃｅ  Ｌｏｃａｔｏｒ）と前記端末機が本来接続しようとしていたウェブページＵＲＬとを含むＨＴＴＰ応答メッセージを伝送する広告サーバを含み、前記端末機は、前記広告サーバから受信したＨＴＴＰ応答メッセージに含まれている広告ページＵＲＬとウェブページＵＲＬとに基づいて前記広告サーバとＷｅｂサーバにそれぞれ接続して広告とウェブページをダウンロードし、これらを互いに別の画面フレームを介して同時に表示することが好ましい。
一方、本発明の一実施例に係る端末機は、ユーザからの入力を受け付ける入力インターフェース部；及び前記入力インターフェース部を介して入力されたユーザの要請に従ってウェブブラウザーを駆動させてＷｅｂサーバとのＴＣＰセッションの連結を行い、ＴＣＰセッションが連結された前記ＷｅｂサーバへＨＴＴＰ要請メッセージを伝送した後、それに対する応答として受信したＨＴＴＰ応答メッセージに含まれている広告ページＵＲＬとウェブページＵＲＬとに基づいて広告サーバとＷｅｂサーバにそれぞれ接続して広告ページとウェブページをダウンロードし、これらを互いに別の画面フレームを介して同時に表示するウェブブラウザー駆動部を含んでなることが好ましい。
一方、本発明の一実施例に係る広告サーバは、ミラーリングサーバでミラーリングされたメッセージを受信するメッセージ受信部；前記メッセージ受信部を介して受信したＨＴＴＰ要請メッセージから端末機が接続を要請したウェブページＵＲＬを抽出するウェブページ情報抽出部；前記メッセージ受信部を介して受信したＨＴＴＰ要請メッセージに対する応答として広告ページを提供する広告ページＵＲＬと前記端末機が本来接続しようとしていた前記ウェブページＵＲＬとを含むＨＴＴＰ応答メッセージを前記端末機へ転送するＨＴＴＰ応答メッセージ転送部；及び前記端末機から前記広告ページを要請するＨＴＴＰ要請メッセージを受信すると、それに対する応答として前記端末機へ広告ページを伝送する広告提供部を含んでなることが好ましい。
一方、本発明の一実施例に係る広告提供方法は、無線インターネットサービスの利用が許容された端末機がウェブページを要請するためにＷｅｂサーバへ伝送するＨＴＴＰ要請メッセージをミラーリングサーバでミラーリングして広告サーバへ伝送する過程；前記広告サーバから前記ＨＴＴＰ要請メッセージに対する応答として広告ページを提供する広告ページＵＲＬと前記端末機が本来接続しようとしていたウェブページＵＲＬとを含むＨＴＴＰ応答メッセージを前記端末機へ伝送するＨＴＴＰ応答メッセージ伝送過程；前記端末機から前記ＨＴＴＰ応答メッセージに基づいて前記広告サーバへ前記広告ページを要請するＨＴＴＰ要請メッセージを伝送すると共に、前記Ｗｅｂサーバへウェブページを要請するＨＴＴＰ要請メッセージを伝送する過程；前記広告サーバから前記端末機へ広告ページを伝送し、前記Ｗｅｂサーバから前記端末機へウェブページを伝送する過程；及び前記端末機で前記広告サーバから伝送された広告とウェブページを互いに別の画面フレームを介して同時に表示する過程、を含んでなることが好ましい。
【発明の効果】
【０００６】
本発明の広告提供システム及び方法によれば、ユーザが要請したウェブページを提供する画面フレームとは別の画面フレームを介して移動通信社がユーザに広告を提供することができるようになる。
これにより、移動通信社では広告にて新たな収益創出を期待することができ、且つ広告を視聴した端末機ユーザには広告視聴に対する補償を提供することができるようになる。
【図面の簡単な説明】
【０００７】
【図１】本発明の一実施例に係る広告提供システムの構成を概略的に示す図である。
【図２】本発明に適用される端末機の構成を概略的に示す図である。
【図３】本発明に従ってユーザに提供される広告画面を例示的に示す図である。
【図４】本発明に適用されるミラーリングサーバの構成を概略的に示す図である。
【図５】本発明に適用される広告サーバの構成を概略的に示す図である。
【図６】本発明の一実施例に係る広告提供方法を説明するための処理図である。
【発明を実施するための形態】
【０００８】
以下、添付の図面を参照して本発明の好適な実施例に係る広告提供システム及び広告提供方法について詳しく説明する。
図１は、本発明の一実施例に係る広告提供システムの構成を概略的に示す図である。
図１を参照すると、本発明の一実施例に係る広告提供システムは、端末機１０、パケットゲートウェイ２０、ミラーリングサーバ３０、広告サーバ５０、認証・課金サーバ４０、課金精算サーバ６０、Ｗｅｂサーバ７０などを含んでなる。
このような構成において、端末機１０は、無線インターネットサービスの提供を受けるためにユーザがウェブブラウザーを介して特定のウェブサイトへの接続を要請すれば、パケットゲートウェイ２０へＴＣＰ（Ｔｒａｎｓｍｉｓｓｉｏｎ  ｃｏｎｔｒｏｌ  Ｐｒｏｔｏｃｏｌ）連結要請メッセージを伝送する。
このように、パケットゲートウェイ２０へＴＣＰ連結要請メッセージを伝送した後、それに対する応答としてパケットゲートウェイ２０からＴＣＰ連結応答メッセージを受信することでＷｅｂサーバ７０とのＴＣＰセッション連結を設定した端末機１０は、パケットゲートウェイ２０へユーザが要請したウェブページを要請するＨＴＴＰ（ＨｙｐｅｒＴｅｘｔ  Ｔｒａｎｓｆｅｒ  Ｐｒｏｔｏｃｏｌ）要請メッセージを伝送し、それに対する応答としてパケットゲートウェイ２０を介して広告サーバ５０から広告ページを提供する広告ページＵＲＬ（Ｕｎｉｆｏｒｍ  Ｒｅｓｏｕｒｃｅ  Ｌｏｃａｔｏｒ）と端末機１０が本来接続しようとしていたウェブページＵＲＬとを含むＨＴＴＰ応答メッセージを受信する。
広告サーバ５０からＨＴＴＰ応答メッセージを受信した端末機１０は、該受信したＨＴＴＰ応答メッセージのヘッダーにセットされている終了（ＦＩＮ）プラグに基づいてＷｅｂサーバ７０と連結されているＴＣＰセッション連結を解除した後、広告サーバ５０及びＷｅｂサーバ７０のそれぞれとＴＣＰセッション連結を再び設定する。そして、ＨＴＴＰ応答メッセージに含まれている広告ページＵＲＬとウェブページＵＲＬを用いて広告サーバ５０へ広告ページを要請するＨＴＴＰ要請メッセージを伝送すると同時に、Ｗｅｂサーバ７０へウェブページを要請するＨＴＴＰ要請メッセージを伝送し、それに対する応答として広告サーバ５０からは広告ページを、Ｗｅｂサーバ７０からはウェブページをそれぞれ受信し、これらをユーザに提供する。
このとき、端末機１０は、広告サーバ５０から受信した広告ページとＷｅｂサーバ７０から受信したウェブページとを互いに別の画面フレームを介して同時に表示する。
前述した端末機１０は、スマートフォン、タブレットＰＣなどのように無線インターネットサービスを提供することができる端末機で具現されていてよい。
パケットゲートウェイ２０は、無線インターネットサービスの提供を受けるために端末機１０がＴＣＰ連結要請メッセージを伝送すると、認証・課金サーバ４０へ当該端末機１０が無線インターネットサービスを許容してもよい端末機であるか否かを照会する認証要請メッセージを伝送し、それに対する応答として認証応答メッセージを受信する。認証・課金サーバ４０から受信した認証応答メッセージを分析した結果、当該端末機１０が無線インターネットサービスを許容してもよい端末機であると確認されると、パケットゲートウェイ２０は、端末機１０から受信したＴＣＰ連結要請メッセージを当該端末機１０の接続希望先のウェブページを提供するＷｅｂサーバ７０へ転送し、それに対する応答としてＷｅｂサーバ７０からＴＣＰ連結応答メッセージを受信し、これを端末機１０へ転送する。
ミラーリングサーバ３０は、パケットゲートウェイ２０の後端に直に接続され、端末機１０を認証するためにパケットゲートウェイ２０と認証・課金サーバ４０の間でやり取りする認証メッセージ（認証要請／応答メッセージ）をミラーリングし、ミラーリングされた認証メッセージ（認証要請／応答メッセージ）を広告サーバ５０へ転送する。また、ミラーリングサーバ３０は、Ｗｅｂサーバ７０とＴＣＰセッションが連結された端末機１０がパケットゲートウェイ２０を介してＷｅｂサーバ７０へ伝送するＨＴＴＰ要請メッセージをミラーリングし、ミラーリングされたＨＴＴＰ要請メッセージを広告サーバ５０へ転送する。
認証・課金サーバ４０は、パケットゲートウェイ２０から受信した認証要請メッセージに含まれているユーザ識別情報（例えば、電話番号）を用いて当該端末機１０が無線データサービスを許容してもよい端末機であるか否かを確認した後、その確認結果を認証応答メッセージに含めてパケットゲートウェイ２０へ転送する。
広告サーバ５０は、ミラーリングサーバ３０から受信したミラーリングされた認証メッセージを分析してユーザ識別情報（例えば、電話番号、端末ＩＰ情報など）を抽出し、抽出したユーザ識別情報を用いて当該端末機１０のユーザが広告サービスに加入されているか否かを確認する。
確認の結果、当該ユーザが広告サービス加入者である場合は、当該端末機１０のユーザ識別情報を一時記憶して管理し、ミラーリングサーバ３０から受信したＨＴＴＰ要請メッセージが一時記憶され管理されるユーザ識別情報に合致する端末機１０のＨＴＴＰ要請メッセージであり且つウェブページを要請したエージェントがウェブブラウザーである場合にのみ、ＨＴＴＰ要請メッセージに対する応答としてＨＴＴＰ応答メッセージを生成して端末機１０へ伝送する。端末機１０へＨＴＴＰ応答メッセージを伝送するために、広告サーバ５０は、ミラーリングサーバ３０から受信したＨＴＴＰ要請メッセージを分析して、端末機１０が接続を要請したウェブページのアドレスを抽出し、端末機１０とＷｅｂサーバ７０との間で連結されているＴＣＰセッションを解除させるためにＷｅｂサーバ７０へリセット（ＲＳＴ）プラグがセットされたＴＣＰメッセージを伝送すると共に、端末機１０へはＨＴＴＰ要請メッセージに対する応答として広告ページを提供する広告ページＵＲＬと端末機１０が本来接続しようとしていたウェブページＵＲＬとを含むＨＴＴＰ応答メッセージを伝送する。このとき、広告サーバ５０は、Ｗｅｂサーバ７０へ伝送するＴＣＰメッセージのヘッダー中のソースＩＰ（Ｓｏｕｒｃｅ  ＩＰ）を端末機１０の端末ＩＰに設定し、且つ宛先ＩＰ（Ｄｅｓｔｉｎａｔｉｏｎ  ＩＰ）をＷｅｂサーバ７０のＩＰに設定して、当該ＴＣＰメッセージを恰も端末機１０がＷｅｂサーバ７０へ伝送するようにすると共に、端末機１０へ伝送するＨＴＴＰ応答メッセージのヘッダー中のソースＩＰをＷｅｂサーバ７０のＩＰに設定し、且つ宛先ＩＰを端末機１０の端末ＩＰに設定して、当該ＨＴＴＰ応答メッセージを恰もＷｅｂサーバ７０が端末機１０へ伝送するようにすることが好ましい。
また、広告サーバ５０が端末機１０へ伝送するＨＴＴＰ応答メッセージのヘッダーには、端末機１０とＷｅｂサーバ７０との間で連結されているＴＣＰセッションを解除させるために終了（ＦＩＮ）プラグがセットされている。
さらに、広告サーバ５０は、端末機１０へ広告ページＵＲＬとウェブページＵＲＬとを含むＨＴＴＰ応答メッセージを伝送した後、パケットゲートウェイ２０を介して端末機１０から広告ページを要請するＨＴＴＰ要請メッセージを受信すると、それに対する応答として広告ページを含むＨＴＴＰ応答メッセージを端末機１０へ伝送する。そして、広告ページを受信した端末機１０に関する情報を補償情報として課金精算サーバ６０へ伝送する。
課金精算サーバ６０は、無線データサービスの利用によって発生した利用料金を精算して請求する共に、広告サーバ５０から受信した補償情報を用いてユーザに補償する補償額を計算し、利用料金から補償額を差し引いて請求する。
図２は、本発明に適用される端末機の構成を概略的に示す図である。
図２を参照すると、本発明に適用される端末機１０は、入力インターフェース部１１、通信部１３、ウェブブラウザー駆動部１５などを含んでなる。この他、端末機１０は、無線周波数部、近距離通信部、記憶部、表示部、オーディオ処理部、デジタル放送処理部、カメラ部などの通常の構成をさらに含んでいてよいが、それらについての説明と図示は省略する。
前述した、入力インターフェース部１１は、ユーザから各種の指令の入力を受け付けるものであり、タッチパッド、タッチスクリーン、キーボードなどで具現されていてよい。
通信部１３は、インターネット網を介してＷｅｂサーバ７０と相互通信を行う。
ウェブブラウザー駆動部１５は、インターネット網を介してＷｅｂサーバ７０との通信を行うためのウェブブラウザーを駆動させるものであって、入力インターフェース部１１を介して入力を受けたユーザ要請に従ってウェブブラウザーを駆動させて、通信部１３を介してＷｅｂサーバ７０とのＴＣＰセッション連結を実施すると共に、ＴＣＰセッションが連結されたＷｅｂサーバ７０へＨＴＴＰ要請メッセージを伝送する。
そして、ＨＴＴＰ要請メッセージに対する応答として広告サーバ５０から広告ページＵＲＬとウェブページＵＲＬとが含まれているＨＴＴＰ応答メッセージを受信すると、ＨＴＴＰ応答メッセージのヘッダーにセットされている終了（ＦＩＮ）プラグによってＷｅｂサーバ７０と連結されているＴＣＰセッションを解除した後、ＨＴＴＰ応答メッセージに含まれている広告ページＵＲＬに基づいて広告サーバ５０とＴＣＰセッションを設定すると共に、ＨＴＴＰ応答メッセージに含まれているウェブページＵＲＬに基づいてＷｅｂサーバ７０とのＴＣＰセッションを設定する。
このように、広告サーバ５０とＷｅｂサーバ７０にそれぞれ接続したウェブブラウザー駆動部１５は、広告サーバ５０の伝送する広告ページとＷｅｂサーバ７０の伝送するウェブページを受信し、これらを互いに別の画面フレームを介して同時に表示する。
図３は、本発明に従ってユーザに提供される広告画面を例示的に示す図であり、端末機１０は、広告サーバ５０から受信した広告ページとＷｅｂサーバ７０から受信したウェブページとを２つの互いに別の画面フレームａ、ｂを介して同時に表示する。
すなわち、端末機１０では、広告サーバ５０から受信した広告ページは第１の画面フレームａを介して表示し、Ｗｅｂサーバ７０から受信したウェブページは第２の画面フレームｂを介して表示する。このとき、第１の画面フレームａを介して表示される広告は、ウェブブラウザーが支援するすべてのコンテンツ形態（例えば、イメージ、動画、フラッシュなど）で提供されていてよい。
本発明の実施例では、第１の画面フレームａが第２の画面フレームｂの上段に設けられることを例に図示したが、第１の画面フレームａを第２の画面フレームｂの下段、若しくは左側または右側に設けるなど、多様に具現することができる。
図４は、本発明に適用されるミラーリングサーバの構成を概略的に示す図である。
図４を参照すると、本発明に適用されるミラーリングサーバ３０は、ミラーリング部３１、メッセージ転送部３３を含んでなる。
このような構成において、ミラーリング部３１は、インターネット接続を要請した端末機１０が無線インターネットサービスを許容してもよいか否かを認証するためにパケットゲートウェイ２０と認証・課金サーバ４０との間でやり取りする認証メッセージ（認証要請／応答メッセージ）をミラーリングし、Ｗｅｂサーバ７０とＴＣＰセッションが連結された端末機１０がパケットゲートウェイ２０を介してＷｅｂサーバ７０へ伝送するＨＴＴＰ要請メッセージをミラーリングする。
メッセージ転送部３３は、ミラーリング部３１でミラーリングされた認証メッセージ、ＨＴＴＰ要請メッセージなどを広告サーバ５０へ転送する。
図５は、本発明に適用される広告サーバの構成を概略的に示す図である。
図５を参照すると、本発明に適用される広告サーバ５０は、メッセージ受信部５１、ユーザ識別情報抽出部５２、広告サービス加入者確認部５３、広告サービス提供可否判断部５４、ウェブページ情報抽出部５５、ＨＴＴＰ応答メッセージ転送部５６、セッション解除部５７、広告提供部５８、補償情報伝送部５９を含んでなる。
このような構成において、メッセージ受信部５１は、ミラーリングサーバ３０から認証メッセージ（認証要請／応答メッセージ）、ＨＴＴＰ要請メッセージなどを受信する。
ユーザ識別情報抽出部５２は、メッセージ受信部５１を介してミラーリングサーバ３０から受信した認証メッセージを分析して、ユーザ識別情報（例えば、電話番号、端末ＩＰ情報など）を抽出する。
広告サービス加入者確認部５３は、ユーザ識別情報抽出部５２で抽出されたユーザ識別情報を用いて当該端末機１０のユーザが広告サービス加入者であるか否かを確認する。確認の結果、当該端末機１０のユーザが広告サービス加入者である場合は、当該端末機１０のユーザ識別情報を一時記憶して管理する。
広告サービス提供可否判断部５４は、メッセージ受信部５１を介して受信したＨＴＴＰ要請メッセージのヘッダーを分析して、ソースＩＰ情報が広告サービス加入者確認部５３によって確認された広告サービス加入者の端末ＩＰと合致し、且つウェブページを要請したエージェントがウェブブラウザーであるか否かを確認のうえ、広告サービス提供の可否を判断し、ソースＩＰ情報が広告サービス加入者の端末ＩＰと合致し且つウェブページを要請したエージェントがウェブブラウザーである場合にのみ、広告サービスを提供するように許容する。
ウェブページ情報抽出部５５は、メッセージ受信部５１を介してミラーリングサーバ３０から受信したＨＴＴＰ要請メッセージを分析して、端末機１０が接続を要請したウェブページのＵＲＬを抽出する。
ＨＴＴＰ応答メッセージ転送部５６は、広告サービス提供可否判断部５４でミラーリングサーバ３０から受信したＨＴＴＰ要請メッセージを分析した結果、広告サービスを提供するように許容された場合、当該ＨＴＴＰ要請メッセージに対する応答として端末機１０へ伝送しようとする広告ページのＵＲＬと端末機１０が本来接続しようとしていたウェブページＵＲＬ（ウェブページ情報抽出部で抽出したウェブページＵＲＬ）とを含むＨＴＴＰ応答メッセージを端末機１０へ転送する。このとき、ＨＴＴＰ応答メッセージ転送部５６は、端末機１０へ転送するＨＴＴＰ応答メッセージのヘッダーのソースＩＰをＷｅｂサーバ７０のＩＰに設定し、且つ宛先ＩＰを端末機１０の端末ＩＰに設定して、当該ＨＴＴＰ応答メッセージを恰もＷｅｂサーバ７０が端末機１０へ伝送するようにする。
セッション解除部５７は、端末機１０とＷｅｂサーバ７０との間で連結されているＴＣＰセッションを解除させるためにＷｅｂサーバ７０へリセット（ＲＳＴ）プラグがセットされたＴＣＰメッセージを伝送すると共に、ＨＴＴＰ応答メッセージ転送部５６から端末機１０へ転送するＨＴＴＰ応答メッセージのヘッダーに終了（ＦＩＮ）プラグをセットする。このとき、Ｗｅｂサーバ７０へ伝送するＴＣＰメッセージのヘッダーのソースＩＰは端末機１０の端末ＩＰに設定し、且つ宛先ＩＰはＷｅｂサーバ７０のＩＰに設定して、当該ＴＣＰメッセージを恰も端末機１０がＷｅｂサーバ７０へ伝送するようにする。
広告提供部５８は、パケットゲートウェイ２０を介して端末機１０から広告ページを要請するＨＴＴＰ要請メッセージを受信すると、それに対する応答としてＨＴＴＰ要請メッセージに含まれているＵＲＬに対応する広告ページを端末機１０へ伝送する。
補償情報伝送部５９は、広告視聴に対する補償を行うために広告ページを受信した端末機１０に関する情報を補償情報として課金精算サーバ６０へ伝送する。
図６は、本発明の一実施例に係る広告提供方法を説明するための処理図である。
先ず、端末機１０は、無線インターネットサービスの提供を受けるためにユーザがウェブブラウザーを介して特定のウェブサイト接続を要請すれば、Ｗｅｂサーバ７０とのＴＣＰセッションを設定するために３ウェイハンドシェーク（Ｗａｙ  Ｈａｎｄｓｈａｋｅ）（ＳＹＮ、ＳＹＮ−ＡＣＫ、ＡＣＫ）によってパケットゲートウェイ２０へＴＣＰ連結要請メッセージ（ＴＣＰ  ＳＹＮメッセージ）を伝送する（Ｓ１０）。
前記過程Ｓ１０で端末機１０からＴＣＰ連結要請メッセージを受信したパケットゲートウェイ２０は、当該端末機１０が無線インターネットサービスを許容してもよい端末機であるか否かを照会するために認証・課金サーバ４０へ認証要請メッセージを伝送する（Ｓ１２）。
前記過程Ｓ１２でパケットゲートウェイ２０から認証要請メッセージを受信した認証・課金サーバ４０は、認証要請メッセージに含まれているユーザ識別情報（例えば、電話番号）を用いて当該端末機１０が無線インターネットサービスを許容してもよい端末機であるか否かを確認した後、その確認結果を認証応答メッセージに含めてパケットゲートウェイ２０へ伝送する（Ｓ１４）。
前記過程Ｓ１４で認証・課金サーバ４０から認証応答メッセージを受信したパケットゲートウェイ２０は、認証・課金サーバ４０から受信した認証応答メッセージを分析した結果、当該端末機１０が無線インターネットサービスを許容してもよい端末機であることが確認されると、前記過程Ｓ１０で端末機１０から受信したＴＣＰ連結要請メッセージ（ＴＣＰ  ＳＹＮメッセージ）をＷｅｂサーバ７０へ転送する（Ｓ３０）。
前記過程Ｓ３０でＴＣＰ連結要請メッセージを受信したＷｅｂサーバ７０は、パケットゲートウェイ２０を介して端末機１０側へＴＣＰ連結応答メッセージ（ＴＣＰ  ＳＹＮ−ＡＣＫメッセージ）を伝送し（Ｓ３２）、端末機１０は、Ｗｅｂサーバ７０へＴＣＰ連結応答メッセージ（ＴＣＰ  ＡＣＫメッセージ）を伝送して、端末機１０とＷｅｂサーバ７０との間のＴＣＰセッション連結を設定する（Ｓ３４）。
一方、前記過程Ｓ１２〜過程Ｓ１４で端末機１０を認証するためにパケットゲートウェイ２０と認証・課金サーバ４０との間で認証要請／応答メッセージをやり取りする際、パケットゲートウェイ２０の後端に接続されているミラーリングサーバ３０は、パケットゲートウェイ２０と認証・課金サーバ４０との間でやり取りする認証要請／応答メッセージをミラーリングし、これを広告サーバ５０へ転送する（Ｓ１６〜Ｓ２０）。
前記過程Ｓ１８〜過程Ｓ２０でミラーリングサーバ３０から認証要請／応答メッセージを受信した広告サーバ５０は、ミラーリングサーバ３０から受信した認証要請／応答メッセージを分析して、ユーザ識別情報（例えば、電話番号、端末ＩＰ情報など）を抽出する（Ｓ２２）。
次いで、広告サーバ５０は、前記過程Ｓ２２で抽出したユーザ識別情報を用いて当該端末機１０のユーザが広告サービスに加入されているか否かを確認する（Ｓ２４）。
前記過程Ｓ２４での確認結果、当該端末機１０のユーザが広告サービスに加入されている場合は、前記過程Ｓ２２で抽出したユーザ識別情報を別途のリストに登録して管理する（Ｓ２８）。
一方、Ｗｅｂサーバ７０とのＴＣＰセッション連結を設定した端末機１０は、パケットゲートウェイ２０を介してＷｅｂサーバ７０側へユーザ希望のウェブページを要請するＨＴＴＰ要請メッセージ（ＨＴＴＰ  ＧＥＴ  Ｒｅｑｕｅｓｔメッセージ）を伝送する（Ｓ３６）。
前記過程Ｓ３６で端末機１０がＷｅｂサーバ７０側へ伝送したＨＴＴＰ要請メッセージをパケットゲートウェイ２０の後端に接続されているミラーリングサーバ３０でミラーリングし、これを広告サーバ５０へ転送する（Ｓ３８〜Ｓ４０）。このとき、端末機１０がＷｅｂサーバ７０へ伝送したＨＴＴＰ要請メッセージは変更されることなくミラーリングサーバ３０を経て宛先のＷｅｂサーバ７０へ転送される。
前記過程Ｓ４０でミラーリングサーバ３０からＨＴＴＰ要請メッセージを受信した広告サーバ５０は、当該ＨＴＴＰ要請メッセージを分析して、当該ＨＴＴＰ要請メッセージが前記過程Ｓ２８で別途のリストに登録されているユーザ識別情報に対応する端末機１０のＨＴＴＰ要請メッセージであり、且つウェブページを要請したエージェントがウェブブラウザーであることが確認されると、当該ＨＴＴＰ要請メッセージを分析して、端末機１０が接続を要請したウェブページのＵＲＬを抽出し（Ｓ４２）、端末機１０へ伝送しようとする広告ページのＵＲＬと前記過程Ｓ４２で抽出したウェブページのＵＲＬとを含むＨＴＴＰ応答メッセージ（ＨＴＴＰ  ３０２  Ｒｅｓｐｏｎｓｅ）を生成し、これをミラーリングサーバ３０から受信したＨＴＴＰ要請メッセージに対する応答として端末機１０へ伝送すると同時に、Ｗｅｂサーバ７０へは端末機１０とＷｅｂサーバ７０との間で連結されているセッションを解除させるためにリセット（ＲＳＴ）プラグがセットされたＴＣＰメッセージ（ＴＣＰ  ＲＳＴメッセージ）を伝送する（Ｓ４４、Ｓ４６）。
前記過程Ｓ４４でＷｅｂサーバ７０へＴＣＰメッセージを伝送する際に、Ｗｅｂサーバ７０へ伝送するＴＣＰメッセージのヘッダー中のソースＩＰは端末機１０の端末ＩＰに設定し、且つ宛先ＩＰはＷｅｂサーバ７０のＩＰに設定して、当該ＴＣＰメッセージを恰も端末機１０がＷｅｂサーバ７０へ伝送するようにし、また、前記過程Ｓ４６で端末機１０へＨＴＴＰ応答メッセージを伝送する際に、端末機１０へ伝送するＨＴＴＰ応答メッセージのヘッダー中のソースＩＰをＷｅｂサーバ７０のＩＰに設定し、且つ宛先ＩＰを端末機１０の端末ＩＰに設定して、当該ＨＴＴＰ応答メッセージを恰もＷｅｂサーバ７０が端末機１０へ伝送するようにする。
前記過程Ｓ４６で広告サーバ５０が端末機１０へ伝送するＨＴＴＰ応答メッセージのヘッダーには、端末機１０とＷｅｂサーバ７０との間で連結されているセッションを解除させるために終了（ＦＩＮ）プラグがセットされている。
一方、前記過程Ｓ４６で広告サーバ５０から広告ページＵＲＬとウェブページＵＲＬとを含むＨＴＴＰ応答メッセージを受信した端末機１０は、ＨＴＴＰ応答メッセージにセットされている終了（ＦＩＮ）プラグによってＷｅｂサーバ７０と設定されているセッションを解除した後、ＨＴＴＰ応答メッセージに含まれている広告ページＵＲＬに基づいて当該広告ページを提供する広告サーバ５０と３ウェイハンドシェーク（ＳＹＮ、ＳＹＮ−ＡＣＫ、ＡＣＫ）を行ってＴＣＰセッション連結を設定した後、広告サーバ５０へ広告ページを要請するＨＴＴＰ要請メッセージを伝送する（Ｓ４８、Ｓ５０）。
これと同時に端末機１０は、ＨＴＴＰ応答メッセージに含まれているウェブページＵＲＬに基づいて当該ウェブページを提供するＷｅｂサーバ７０と３ウェイハンドシェーク（ＳＹＮ、ＳＹＮ−ＡＣＫ、ＡＣＫ）を行ってＴＣＰセッション連結を設定した後、Ｗｅｂサーバ７０へウェブページを要請するＨＴＴＰ要請メッセージを伝送する（Ｓ５２、Ｓ５４）。
前記過程Ｓ５０で端末機１０から広告ページを要請するＨＴＴＰ要請メッセージを受信した広告サーバ５０は、ＨＴＴＰ要請メッセージに含まれている広告ページＵＲＬを用いてＨＴＴＰ要請メッセージに対する応答として端末機１０へ広告ページを含むＨＴＴＰ応答メッセージ（ＨＴＴＰ  ２００  Ｒｅｓｐｏｎｓｅ）を伝送する（Ｓ５６）。
そして、前記過程Ｓ５４で端末機１０からウェブページを要請するＨＴＴＰ要請メッセージを受信したＷｅｂサーバ７０は、ＨＴＴＰ要請メッセージに含まれているウェブページＵＲＬを用いてＨＴＴＰ要請メッセージに対する応答として端末機１０へウェブページを含むＨＴＴＰ応答メッセージ（ＨＴＴＰ  ２００  Ｒｅｓｐｏｎｓｅ）を伝送する（Ｓ５８）。
前記過程Ｓ５６で広告サーバ５０から広告ページを含むＨＴＴＰ応答メッセージを受信し、且つ前記過程Ｓ５８でＷｅｂサーバ７０からウェブページを受信した端末機１０は、広告サーバ５０から受信したＨＴＴＰ応答メッセージに含まれている広告ページとＷｅｂサーバ７０から受信したＨＴＴＰ応答メッセージに含まれているウェブページとを、図３に示すように２つの互いに別の画面フレームを介して同時に表示する（Ｓ６０）。
一方、前記過程Ｓ６０で端末機１０へ広告ページを含むＨＴＴＰ応答メッセージを伝送した広告サーバ５０は、広告視聴に対する補償をするために課金精算サーバ６０へ広告ページを受信した端末機１０に関する補償情報を伝送する（Ｓ６２）。前記過程Ｓ６２で課金精算サーバ６０へ広告ページを受信した端末機１０に関する補償情報を伝送した広告サーバ５０は、リストから広告ページを受信した端末機１０に対応するユーザ識別情報を削除することが好ましい。
本発明の広告提供システム及び広告提供方法は、前述した実施例に限られるものではなく、本発明の技術思想が許容する範囲内で種々に変形して実施することができる。
【産業上の利用可能性】
【０００９】
本発明の広告提供システム及び広告提供方法は、ユーザが無線インターネットサービスを利用する際、ユーザが要請したウェブページを提供する画面フレームとは別の画面フレームを介して移動通信社がユーザに広告を提供できるようにすることに産業上の利用可能性がある。
【符号の説明】
【００１０】
１０．端末機、１１．入力インターフェース部、
１３．通信部、１５．ウェブブラウザー駆動部、
２０．パケットゲートウェイ、３０．ミラーリングサーバ、
３１．ミラーリング部、３３０．メッセージ転送部、
４０．認証・課金サーバ、５０．広告サーバ、
５１．メッセージ受信部、５２．ユーザ識別情報抽出部、
５３．広告サービス加入者確認部、５４．広告サービス提供可否判断部、
５５．ウェブページ情報抽出部、５６．ＨＴＴＰ応答メッセージ転送部、
５７．セッション解除部、５８．広告提供部、
５９．補償情報伝送部、６０．課金精算サーバ、
７０．Ｗｅｂサーバ
【図３】
2016511458.tif 000003
【図１】
2016511458.tif 000004
【図２】
2016511458.tif 000005
【図４】
2016511458.tif 000006
【図５】
2016511458.tif 000007
【図６】
2016511458.tif 000008
【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
無線インターネットサービスの提供を受けるためにＴＣＰ（Ｔｒａｎｓｍｉｓｓｉｏｎ  ｃｏｎｔｒｏｌ  Ｐｒｏｔｏｃｏｌ）セッションが連結されているＷｅｂサーバへＨＴＴＰ（ＨｙｐｅｒＴｅｘｔ  Ｔｒａｎｓｆｅｒ  Ｐｒｏｔｏｃｏｌ）要請メッセージを伝送する端末機；
前記端末機が前記Ｗｅｂサーバへ伝送した前記ＨＴＴＰ要請メッセージをミラーリングするミラーリングサーバ；及び
前記ミラーリングサーバからＨＴＴＰ要請メッセージを受信すると、前記端末機へ前記ＨＴＴＰ要請メッセージに対する応答として広告ページを提供する広告ページＵＲＬ（Ｕｎｉｆｏｒｍ  Ｒｅｓｏｕｒｃｅ  Ｌｏｃａｔｏｒ）と前記端末機が本来接続しようとしていたウェブページＵＲＬとを含むＨＴＴＰ応答メッセージを伝送する広告サーバを含み、
前記端末機は、前記広告サーバから受信したＨＴＴＰ応答メッセージに含まれている広告ページＵＲＬとウェブページＵＲＬとに基づいて前記広告サーバとＷｅｂサーバにそれぞれ接続して広告とウェブページをダウンロードし、これらを互いに別の画面フレームを介して同時に表示する、広告提供システム。
【請求項２】
前記広告サーバは、
前記端末機へ前記ＨＴＴＰ応答メッセージを伝送すると共に、前記Ｗｅｂサーバへリセット（ＲＳＴ）プラグがセットされたＴＣＰメッセージを伝送する、請求項１に記載の広告提供システム。
【請求項３】
前記広告サーバから前記端末機へ伝送するＨＴＴＰ応答メッセージは、終了（ＦＩＮ）プラグを含んでなる、請求項１または２に記載の広告提供システム。
【請求項４】
前記ミラーリングサーバは、無線インターネットサービスの提供を受けるためにパケットゲートウェイへインターネット接続を要請する前記端末機を認証するために前記パケットゲートウェイと認証・課金サーバ間でやり取りする認証メッセージをミラーリングし、これを前記広告サーバへ転送し、
前記広告サーバは、前記ミラーリングサーバから受信した認証メッセージを分析してユーザ識別情報を抽出し、抽出されたユーザ識別情報を用いてユーザの広告サービス加入の有無を判断する、請求項１〜３のいずれか１項に記載の広告提供システム。
【請求項５】
前記ミラーリングサーバは、
前記端末機が前記Ｗｅｂサーバへ伝送したＨＴＴＰ要請メッセージをミラーリングするミラーリング部；及び
前記ミラーリングされたＨＴＴＰ要請メッセージを前記広告サーバへ転送するメッセージ転送部を含んでなる、請求項１〜４のいずれか１項に記載の広告提供システム。
【請求項６】
ユーザからの入力を受け付ける入力インターフェース部；及び
前記入力インターフェース部を介して入力されたユーザの要請に従ってウェブブラウザーを駆動させてＷｅｂサーバとのＴＣＰセッションの連結を行い、ＴＣＰセッションが連結された前記ＷｅｂサーバへＨＴＴＰ要請メッセージを伝送した後、それに対する応答として受信したＨＴＴＰ応答メッセージに含まれている広告ページＵＲＬとウェブページＵＲＬとに基づいて広告サーバとＷｅｂサーバにそれぞれ接続して広告ページとウェブページをダウンロードし、これらを互いに別の画面フレームを介して同時に表示するウェブブラウザー駆動部を含んでなる、端末機。
【請求項７】
ミラーリングサーバでミラーリングされたメッセージを受信するメッセージ受信部；
前記メッセージ受信部を介して受信したＨＴＴＰ要請メッセージから端末機が接続を要請したウェブページＵＲＬを抽出するウェブページ情報抽出部；
前記メッセージ受信部を介して受信したＨＴＴＰ要請メッセージに対する応答として広告ページを提供する広告ページＵＲＬと前記端末機が本来接続しようとしていた前記ウェブページＵＲＬとを含むＨＴＴＰ応答メッセージを前記端末機へ転送するＨＴＴＰ応答メッセージ転送部；及び
前記端末機から前記広告ページを要請するＨＴＴＰ要請メッセージを受信すると、それに対する応答として前記端末機へ広告ページを伝送する広告提供部を含んでなる、広告サーバ。
【請求項８】
前記メッセージ受信部を介して受信したＨＴＴＰ要請メッセージのソースＩＰ情報が広告サービス加入者の端末ＩＰと合致し、且つウェブページを要請したエージェントがウェブブラウザーであるか否かを確認することで広告サービスの提供の可否を判断する広告サービス提供可否判断部をさらに含んでなる、請求項７に記載の広告サーバ。
【請求項９】
前記メッセージ受信部を介して受信した認証メッセージを分析してユーザ識別情報を抽出するユーザ識別情報抽出部；及び
前記ユーザ識別情報を用いて前記端末機のユーザが広告サービスに加入しているか否かを確認する広告サービス加入者確認部をさらに含んでなる、請求項７または８に記載の広告サーバ。
【請求項１０】
前記端末機へ伝送するＨＴＴＰ応答メッセージに終了（ＦＩＮ）プラグを含め、
前記Ｗｅｂサーバへリセット（ＲＳＴ）プラグがセットされたＴＣＰメッセージを転送して前記端末機とＷｅｂサーバ間で連結されているＴＣＰセッションを解除させるセッション解除部をさらに含んでなる、請求項７〜９のいずれか１項に記載の広告サーバ。
【請求項１１】
前記端末機へ伝送する前記ＨＴＴＰ応答メッセージのソースＩＰは前記ＷｅｂサーバのＩＰに設定されると共に、宛先ＩＰは前記端末機のＩＰに設定され、
前記Ｗｅｂサーバへ伝送する前記ＴＣＰメッセージのソースＩＰは前記端末機のＩＰに設定されると共に、宛先ＩＰは前記ＷｅｂサーバのＩＰに設定されることを特徴とする、請求項１０に記載の広告サーバ。
【請求項１２】
前記広告ページを受信した端末機に対する補償情報を課金精算サーバへ伝送する補償情報伝送部をさらに含んでなる、請求項７〜１１のいずれか１項に記載の広告サーバ。
【請求項１３】
無線インターネットサービスの利用が許容された端末機がウェブページを要請するためにＷｅｂサーバへ伝送するＨＴＴＰ要請メッセージをミラーリングサーバでミラーリングして広告サーバへ伝送する過程；
前記広告サーバから前記ＨＴＴＰ要請メッセージに対する応答として広告ページを提供する広告ページＵＲＬと前記端末機が本来接続しようとしていたウェブページＵＲＬとを含むＨＴＴＰ応答メッセージを前記端末機へ伝送するＨＴＴＰ応答メッセージ伝送過程；
前記端末機から前記ＨＴＴＰ応答メッセージに基づいて前記広告サーバへ前記広告ページを要請するＨＴＴＰ要請メッセージを伝送すると共に、前記Ｗｅｂサーバへウェブページを要請するＨＴＴＰ要請メッセージを伝送する過程；
前記広告サーバから前記端末機へ広告ページを伝送し、前記Ｗｅｂサーバから前記端末機へウェブページを伝送する過程；及び
前記端末機で前記広告サーバから伝送された広告とウェブページを互いに別の画面フレームを介して同時に表示する過程、を含んでなる、広告提供方法。
【請求項１４】
前記ＨＴＴＰ応答メッセージ伝送過程は、
前記広告サーバで前記ＨＴＴＰ要請メッセージから前記端末機が接続しようとしていたウェブページのアドレスを抽出する過程；
前記Ｗｅｂサーバへリセット（ＲＳＴ）プラグがセットされたＴＣＰメッセージを伝送する過程；
前記ＨＴＴＰ応答メッセージのヘッダーに終了（ＦＩＮ）プラグをセットする過程；
前記ＨＴＴＰ応答メッセージに広告ページを提供する広告ページＵＲＬと前記端末機が本来接続しようとしていたウェブページＵＲＬとを含める過程；及び
前記ＨＴＴＰ応答メッセージを前記端末機へ伝送する過程、を含んでなる、請求項１３に記載の広告提供方法。
【請求項１５】
前記ＨＴＴＰ応答メッセージのソースＩＰを前記ＷｅｂサーバのＩＰに設定すると共に、宛先ＩＰを前記端末機のＩＰに設定する過程；及び
前記ＴＣＰメッセージのソースＩＰを前記端末機のＩＰに設定すると共に、宛先ＩＰを前記ＷｅｂサーバのＩＰに設定する過程をさらに含んでなる、請求項１４に記載の広告提供方法。
【請求項１６】
前記ＨＴＴＰ要請メッセージのソースＩＰ情報が広告サービス加入者の端末ＩＰと合致し、且つウェブページを要請したエージェントがウェブブラウザーであるか否かを確認する過程をさらに含んでなる、請求項１４または１５に記載の広告提供方法。
【請求項１７】
無線インターネットサービスの提供を受けるためにパケットゲートウェイへインターネット接続を要請する端末機を認証するために前記パケットゲートウェイと認証・課金サーバの間でやり取りする認証メッセージを前記ミラーリングサーバでミラーリングして前記広告サーバへ伝送する過程；
前記広告サーバで前記ミラーリングされた認証メッセージを分析してユーザ識別情報を抽出する過程；及び
前記ユーザ識別情報を用いて前記広告サーバで前記端末機のユーザが広告サービスに加入されているか否かを確認する過程をさらに含む、請求項１３〜１６のいずれか１項に記載の広告提供方法。
【請求項１８】
前記広告サーバが前記端末機へ広告ページを伝送した後、前記端末機に対する補償情報を課金精算サーバへ伝送する過程をさらに含む、請求項１３〜１７のいずれか１項に記載の広告提供方法。
【国際調査報告】
2016511458.tif 000009
2016511458.tif 000010
2016511458.tif 000011
2016511458.tif 000012